【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
画面内を複数の領域に分割して被写体反射光を測光する分割測光手段と、露光動作に先立って被写体に向けプリ発光を行うプリ発光制御手段と、前記プリ発光時における前記分割測光手段で測光した測光情報に基づいて本発光を行う本発光制御手段とを備え、
前記本発光制御手段は、前記分割測光手段の分割領域の中で、第１の所定の領域および第２の所定の領域を選択する領域選択部と、画面内における被写体倍率を決定する被写体倍率決定部と、前記被写体倍率決定部の決定情報に基づいて前記第１及び第２の所定の領域のプリ発光の測光情報に対する重み付係数を決定し、本発光量を演算する演算部とを有することを特徴とするカメラシステム。
【請求項２】
画面内を複数の領域に分割して被写体反射光を測光する分割測光手段と、露光動作に先立って被写体に向けプリ発光を行うプリ発光制御手段と、前記プリ発光時における前記分割測光手段で測光した測光情報に基づいて本発光を行う本発光制御手段と、プリ発光時における発光部の発光量を測光するプリ発光発光部測光手段とを備え、
前記本発光制御手段は、前記分割測光手段の分割領域の中で、第１の所定の領域および第２の所定の領域を選択する領域選択部と、画面内における被写体倍率を決定する被写体倍率決定部と、前記被写体倍率決定部の決定情報に基づいて第１及び第２の所定の領域のプリ発光の測光情報に対する重み付係数を決定して重み付け平均値を演算し、この重み付け平均値に基づいてプリ発光に対する本発光量の相対値を演算する相対値演算部と、前記相対値演算部による相対値と前記プリ発光発光部測光手段による測光結果に基づいて本発光量を演算する本発光量演算部とを有し、前記分割測光手段からの測光値が該本発光量演算部による本発光量に到達したら発光を停止することを特徴とするカメラシステム。
【請求項３】
画面内を複数の領域に分割して被写体反射光をプリ測光するプリ分割測光手段と、画面内を複数の領域に分割して被写体反射光を本測光する本分割測光手段と、露光動作に先立って被写体に向けプリ発光を行うプリ発光制御手段と、前記プリ発光時における前記プリ分割測光手段で測光した測光情報に基づいて本発光を行う本発光制御手段とを備え、
前記本発光制御手段は、前記プリ分割測光手段の分割領域の中で、第１の所定の領域および第２の所定の領域を選択する領域選択部と、画面内における被写体倍率を決定する被写体倍率決定部と、前記被写体倍率決定部の決定情報に基づいて第１及び第２の所定の領域のプリ発光の測光情報に対する重み付係数を決定し、この重み付係数を用いて本発光時における前記第１および第２の所定の領域の前記本分割測光手段の測光情報に対して重み付加算を演算する加算演算部とを有し、前記加算演算部の加算値が所定値に達したら発光を停止することを特徴とするカメラシステム。
【請求項４】
前記被写体倍率決定手段は、主被写体の距離情報を出力することを特徴とする請求項１から３のいずれか１つに記載のカメラシステム。
【請求項５】
前記分割測光手段の分割領域の少なくとも１つの領域は、焦点状態を検出し焦点情報を出力する焦点検出手段の焦点検出点と一致することを特徴とする請求項１から４のいずれか１つに記載のカメラシステム。
【請求項６】
前記本発光制御手段の第１の領域選択部は、前記焦点検出手段の焦点検出点と一致する前記分割領域の領域を選択することを特徴とする請求項５に記載のカメラシステム。
【請求項７】
前記本発光制御手段の第１の領域選択部は、前記分割測光手段による各領域のプリ発光測光情報により最大の値をとる領域を選択することを特徴とする請求項１から５のいずれか１つに記載のカメラシステム。
【請求項８】
前記本発光制御手段の第２の領域選択部は、前記第１の所定の領域に画面上の位置関係として隣接または近い領域を選択することを特徴とする請求項１から７のいずれか１つに記載のカメラシステム。
【請求項９】
前記被写体倍率決定手段は、前記第１の所定の領域における前記分割測光手段によるプリ発光測光情報により得ることを特徴とする請求項１から８のいずれか１つに記載のカメラシステム。
【手続補正２】
【補正対象書類名】明細書
【補正対象項目名】０００９
【補正方法】変更
【補正の内容】
【０００９】
【課題を解決するための手段】
本出願に係る発明の第１の構成は、画面内を複数の領域に分割して被写体反射光を測光する分割測光手段と、露光動作に先立って被写体に向けプリ発光を行うプリ発光制御手段と、前記プリ発光時における前記分割測光手段で測光した測光情報に基づいて本発光を行う本発光制御手段とを備え、前記本発光制御手段は、前記分割測光手段の分割領域の中で、第１の所定の領域および第２の所定の領域を選択する領域選択部と、画面内における被写体倍率を決定する被写体倍率決定部と、前記被写体倍率決定部の決定情報に基づいて前記第１及び第２の所定の領域のプリ発光の測光情報に対する重み付係数を決定し、本発光量を演算する演算部とを有するものである。
【手続補正３】
【補正対象書類名】明細書
【補正対象項目名】００１０
【補正方法】変更
【補正の内容】
【００１０】
本出願に係る発明の第２の構成は、画面内を複数の領域に分割して被写体反射光を測光する分割測光手段と、露光動作に先立って被写体に向けプリ発光を行うプリ発光制御手段と、前記プリ発光時における前記分割測光手段で測光した測光情報に基づいて本発光を行う本発光制御手段と、プリ発光時における発光部の発光量を測光するプリ発光発光部測光手段とを備え、前記本発光制御手段は、前記分割測光手段の分割領域の中で、第１の所定の領域および第２の所定の領域を選択する領域選択部と、画面内における被写体倍率を決定する被写体倍率決定部と、前記被写体倍率決定部の決定情報に基づいて前記第１及び第２の所定の領域のプリ発光の測光情報に対する重み付係数を決定して重み付け平均値を演算し、この重み付け平均値に基づいてプリ発光に対する本発光量の相対値を演算する相対値演算部と、前記相対値演算部による相対値と前記プリ発光発光部測光手段による測光結果に基づいて本発光量を演算する本発光量演算部とを有し、前記分割測光手段からの測光値が該本発光量演算部による本発光量に到達したら発光を停止するものである。
【手続補正４】
【補正対象書類名】明細書
【補正対象項目名】００１１
【補正方法】変更
【補正の内容】
【００１１】
本出願に係る発明の第３の構成は、画面内を複数の領域に分割して被写体反射光をプリ測光するプリ分割測光手段と、画面内を複数の領域に分割して被写体反射光を本測光する本分割測光手段と、露光動作に先立って被写体に向けプリ発光を行うプリ発光制御手段と、前記プリ発光時における前記プリ分割測光手段で測光した測光情報に基づいて本発光を行う本発光制御手段とを備え、前記本発光制御手段は、前記プリ分割測光手段の分割領域の中で、第１の所定の領域および第２の所定の領域を選択する領域選択部と、画面内における被写体倍率を決定する被写体倍率決定部と、前記被写体倍率決定部の決定情報に基づいて前記第１及び第２の所定の領域のプリ発光の測光情報に対する重み付係数を決定し、この重み付係数を用いて本発光時における前記第１および第２の所定の領域の前記本分割測光手段の測光情報に対して重み付加算を演算する加算演算部とを有し、前記加算演算部の加算値が所定値に達したら発光を停止するものである。
【手続補正５】
【補正対象書類名】明細書
【補正対象項目名】００１５
【補正方法】変更
【補正の内容】
【００１５】
上記した構成における前記本発光制御手段の第１の領域選択部は、前記分割測光手段による各領域のプリ発光測光情報により最大の値をとる領域を選択するものである。
【手続補正６】
【補正対象書類名】明細書
【補正対象項目名】００１８
【補正方法】変更
【補正の内容】
【００１８】
ここで、露光動作に先立つプリ発光は、撮影者が露光動作を開始するときに押すレリーズボタンを押した直後に行うものでもよいし、レリーズボタンを押すまえに他の操作部材を操作することで行われるものでもよい。第１の所定の領域は、１つの領域としても良いし２つ以上の領域としてもよい。第２の所定の領域は、第１の所定の領域を含んでもよいし、また１つの領域から複数の領域、さらには全ての領域としてもよい。被写体のカメラからの距離に関する情報は、例えば第１の所定の領域における被写体の距離情報でよいし、他の領域の距離情報でもよいし、複数の領域の距離情報の平均でもよいし、またレンズの焦点を合わせた距離情報でもよい。前記重み付け係数は、０または正の実数である。平均演算手段は、マイクロコンピューターによるソフト的な演算手段でもよいし、アナログ回路によるハード的な演算でもよい。分割測光手段は、本発光とプリ発光の夫々に設けても共通としてもよいし、異なった分割測光センサで各領域のみ対応させたものでもよい。加算演算手段は、マイクロコンピューターによるソフト的な演算手段でもよいし、アナログ回路によるハード的な演算でもよい。
【手続補正７】
【補正対象書類名】明細書
【補正対象項目名】００２１
【補正方法】変更
【補正の内容】
【００２１】
１はカメラ本体であり、この中に光学部品、メカ部品、電気回路、フィルムなどを収納し、写真撮影が行えるようになっている。２は主ミラーで、観察状態と撮影状態に応じて撮影光路へ斜設されあるいは退避される。また主ミラー２はハーフミラーとなっており斜設されているときも、後述する焦点検出光学系に被写体からの光線の約半分を透過させている。
【手続補正８】
【補正対象書類名】明細書
【補正対象項目名】００２２
【補正方法】変更
【補正の内容】
【００２２】
３は撮影レンズ１２〜１４の予定結像面に配置されたピント板、４はファインダー光路変更用のペンタプリズム、５はファインダーで撮影者はこの窓よりピント板３を観察することで、撮影画面を観察することが出来る。６、７は観察画面内の被写体輝度を測定する為の結像レンズと多分割測光センサーで、結像レンズ６はペンタプリズム４内の反射光路を介してピント板３と多分割測光センサー７を共役に関係付けている。
【手続補正９】
【補正対象書類名】明細書
【補正対象項目名】００３１
【補正方法】変更
【補正の内容】
【００３１】
３０はグラスファイバーでありキセノン管１９の発光した光をモニタ用のセンサ（ＰＤ１）３１に導いている。センサ（ＰＤ１）３１はストロボ１８のプリ発光及び本発光の光量を直接測光しているものであり、本発光量の制御のためのセンサである。３２はキセノン管１９の発光した光をモニタするセンサ（ＰＤ２）である。センサ（ＰＤ２）３２の出力によりキセノン管１９の発光電流を制限してストロボ１８がフラット発光を行う事が出来る。
【手続補正１０】
【補正対象書類名】明細書
【補正対象項目名】００３２
【補正方法】変更
【補正の内容】
【００３２】
３３はストロボ１８がバウンス撮影になっているかを検知するスイッチである。３４は反射板を前後に移動させ、ストロボ発光の照射角を撮影レンズ（１２〜１４）の焦点距離に合わせて画面に適合させる照射角（ストロボズーム）調節機構である。
【手続補正１１】
【補正対象書類名】明細書
【補正対象項目名】００３４
【補正方法】変更
【補正の内容】
【００３４】
図２、図３に本実施の形態のストロボカメラシステムの電気回路ブロック図を示し、図２はカメラ本体１側と撮影レンズ側の回路ブロック図、図３はストロボ１８側の回路ブロックを示し、図１と対応する部材には同じ符号を付している。
【手続補正１２】
【補正対象書類名】明細書
【補正対象項目名】００３５
【補正方法】変更
【補正の内容】
【００３５】
まず図２から説明すると、カメラマイコン１００は、所定のソフトウエアによりカメラ内の動作の制御を行う。ＥＥＰＲＯＭ１００ｂは、フィルムカウンタその他の撮影情報を記憶可能である。１００ｃのＡ／Ｄ変換器は、焦点検出回路１０５、測光回路１０６からのアナログ信号をＡ／Ｄ変換し、カメラマイコン１００はそのＡ／Ｄ値を信号処理することにより各種状態を設定する。
【手続補正１３】
【補正対象書類名】明細書
【補正対象項目名】００３６
【補正方法】変更
【補正の内容】
【００３６】
カメラマイコン１００には、焦点検出回路１０５、測光回路１０６、シャッター制御回路１０７、モーター制御回路１０８、フィルム走行検知回路１０９、スイッチセンス回路１１０、液晶表示回路（ＬＣＤ駆動回路）１１１が接続されている。また、撮影レンズ側とはマウント接点群１０を介して信号の伝達がなされる。さらにストロボ１８側とは、ストロボ１８が直接カメラ本体１に取り付けられた状態では、ストロボ接点群２２を介して信号の伝達がなされる。
【手続補正１４】
【補正対象書類名】明細書
【補正対象項目名】００３９
【補正方法】変更
【補正の内容】
【００３９】
測光回路１０６は画面内の各エリアの輝度信号として、前述したように画面内を複数のエリアに分割した多分割測光センサ７からの出力をカメラマイコン１００に出力する。測光回路１０６は、被写体に向けてストロボ光をプリ発光していない定常状態とプリ発光しているプリ発光状態と双方の状態で輝度信号を出力し、カメラマイコン１００は輝度信号をＡ／Ｄ変換し、撮影の露出の調節のための絞り値の演算とシャッタースピードの演算、及び露光時のストロボ本発光量の演算を行う。
【手続補正１５】
【補正対象書類名】明細書
【補正対象項目名】００４０
【補正方法】変更
【補正の内容】
【００４０】
シャッター制御回路１０７は、カメラマイコン１００からの信号に従って、シャッター先幕（ＭＧ−１）、シャッター後幕（ＭＧ−２）を走行させ、露出動作を担っている。モータ制御回路１０８は、カメラマイコン１００からの信号に従ってモータを制御することにより、主ミラー２のアップダウン、及びシャッター８のチャージ、そしてフィルムの給送を行っている。フィルム走行検知回路１０９は、フィルム給送時にフィルムが１駒分巻き上げられたかを検知し、カメラマイコン１００に信号を送る。
【手続補正１６】
【補正対象書類名】明細書
【補正対象項目名】００４２
【補正方法】変更
【補正の内容】
【００４２】
スイッチＳＷ１，スイッチＳＷ２，スイッチＳＷＦＥＬＫ及びその他不図示のカメラの操作部材からの信号は、スイッチセンス回路１１０が検知し、カメラマイコン１００に送っている。スイッチＳＷＸは、シャッター８の全開にともなってＯＮするスイッチであり、ストロボ１８側に、露光時本発光の発光タイミングを送っている。
【手続補正１７】
【補正対象書類名】明細書
【補正対象項目名】００４５
【補正方法】変更
【補正の内容】
【００４５】
次にレンズの構成に関して説明を行う。カメラ本体１とレンズ（レンズ鏡筒１１）はレンズマウント接点１０を介して相互に電気的に接続される。このレンズマウント接点１０はレンズ内のフォーカス駆動用モータ１６および、絞り駆動用モータ１７の電源用接点であるＬ０、レンズマイコン１１２の電源用接点であるＬ１、公知のシリアルデータ通信を行う為のクロック用接点Ｌ２、カメラ本体１〜レンズへのデータ送信用接点Ｌ３、レンズからカメラ本体１へのデータ送信用接点Ｌ４、前記モータ用電源に対するモータ用グランド接点であるＬ５、前記レンズマイコン１１２用電源に対するグランド接点であるＬ６で構成されている。
【手続補正１８】
【補正対象書類名】明細書
【補正対象項目名】００４６
【補正方法】変更
【補正の内容】
【００４６】
レンズマイコン１１２は、これらのレンズマウント接点１０を介してカメラマイコン１００と接続され、１群レンズ駆動モータ１６及びレンズ絞り駆動モータ１７を動作させ、レンズの焦点調節と絞りを制御している。３５、３６は光検出器とパルス板であり、レンズマイコン１１２がパルス数をカウントすることにより１群レンズの位置情報を得ることが出来、レンズの焦点調節を行ったり、被写体の絶対距離情報をカメラマイコン１００に伝達することが出来る。
【手続補正１９】
【補正対象書類名】明細書
【補正対象項目名】００４８
【補正方法】変更
【補正の内容】
【００４８】
ストロボマイコン２００はカメラマイコン１００からの信号に従って、ストロボ１８の制御を行う回路で、発光量の制御、フラット発光の発光強度及び発光時間の制御や、発光照射角の制御等を行う。
【手続補正２０】
【補正対象書類名】明細書
【補正対象項目名】００５３
【補正方法】変更
【補正の内容】
【００５３】
２０４、２０５はコンパレータで、コンパレータ２０４は後述の閃光発光時の発光停止に用いられ、コンパレータ２０５は後述のフラット発光時の発光強度制御に用いられる。２０６はデータセレクタで、ストロボマイコン２００からの選択信号ＳＥＬ０、ＳＥＬ１に従い、Ｄ０からＤ２の入力を選択し、Ｙに出力する
【手続補正２１】
【補正対象書類名】明細書
【補正対象項目名】００５４
【補正方法】変更
【補正の内容】
【００５４】
２０７は閃光発光制御用モニタ回路であり、受光素子３１の出力を対数圧縮し、増幅する。２０８は閃光発光制御用モニタ回路２０７の出力を積分する積分回路である。２０９はフラット発光制御用モニタ回路であり、受光素子３２の出力を増幅する。２１０は前記フラット発光時間等を記憶する記憶手段であるＥＥＰＲＯＭである。
【手続補正２２】
【補正対象書類名】明細書
【補正対象項目名】００５５
【補正方法】変更
【補正の内容】
【００５５】
照射角（ストロボズーム）調節機構３４は、公知のモータ駆動回路２１１、ズーム駆動モータ２１２、ピニオンギア２１３、ラックギア２１４、反射傘２０の位置を検出するズーム位置検出エンコーダ２１５等で構成される。２１６は発光可能を示すＬＥＤである。
【手続補正２３】
【補正対象書類名】明細書
【補正対象項目名】００５９
【補正方法】変更
【補正の内容】
【００５９】
ＰＯＷはパワースイッチ２１５の状態を入力する入力端子、ＯＦＦはパワースイッチ２１５と接続された時にストロボ１８をオフ状態にする為の出力端子、ＯＮはパワースイッチ２１５と接続された時のストロボ１８をオン状態にする為の出力端子であり、パワーＯＮ状態ではＰＯＷ端子はＯＮ端子と接続され、その際ＯＮ端子はハイインピーダンス状態、ＯＦＦ端子はＬｏ状態であり、パワーＯＦＦ状態ではその逆である。ＬＥＤは発光可能を表示する表示出力端子である。
【手続補正２４】
【補正対象書類名】明細書
【補正対象項目名】００６０
【補正方法】変更
【補正の内容】
【００６０】
ＳＴＯＰは発光停止信号の入力端子であり、説明上Ｌｏで発光停止状態とする。ＳＥＬ０、ＳＥＬ１は前記データセレクタ２０６の入力選択を指示する為の出力端子であり、ＳＥＬ０、ＳＥＬ１の組み合わせが（ＳＥＬ１、ＳＥＬ０）＝（０、０）の時はＤ０端子がＹ端子に接続され、同様に（０、１）の時はＤ１端子、（１、０）の時はＤ２端子が選択される。
【手続補正２５】
【補正対象書類名】明細書
【補正対象項目名】００６２
【補正方法】変更
【補正の内容】
【００６２】
ＡＤ０、ＡＤ１はＡ／Ｄ入力端子であり、入力される電圧をストロボマイコン２００内部で処理できるようにディジタルデータに変換するものであり、ＡＤ０はメインコンデンサＣ１の電圧をモニタするものであり、ＡＤ１は積分回路２０８の積分出力電圧をモニタするものである。
【手続補正２６】
【補正対象書類名】明細書
【補正対象項目名】００６４
【補正方法】変更
【補正の内容】
【００６４】
ＢＯＵＮＣＥは、ストロボ１８がバウンス状態であるかどうかを入力するポートである。ＴＡＴＯＵは、多灯ストロボの設定のスイッチの入力ポート、Ｍ＿Ｚｏｏｍは、マニュアルズームの設定スイッチの入力ポートである。
【手続補正２７】
【補正対象書類名】明細書
【補正対象項目名】００６５
【補正方法】変更
【補正の内容】
【００６５】
次に、このストロボ１８のそれぞれの動作を説明しながら回路を説明する。
【手続補正２８】
【補正対象書類名】明細書
【補正対象項目名】００７０
【補正方法】変更
【補正の内容】
【００７０】
＜予備フラット発光＞
ストロボ１８が発光可能状態のとき、カメラ本体１は、プリ発光の発光強度と発光時間を通信すると共に、プリ発光を指示することができる。
【手続補正２９】
【補正対象書類名】明細書
【補正対象項目名】００７１
【補正方法】変更
【補正の内容】
【００７１】
ストロボマイコン２００は、カメラ本体１より指示された所定発光強度信号に応じて、ＤＡ０に所定の電圧を設定する。次にＳＥＬ１、ＳＥＬ０にＬｏ、Ｈｉを出力し、入力Ｄ１を選択する。このときキセノン管１９はまだ発光していないので、受光素子３２の光電流はほとんど流れず、コンパレータ２０５の反転入力端子に入力されるフラット発光制御用モニタ回路２０９の出力は発生せず、コンパレータ２０５の出力はＨｉであるので、発光制御回路２０３は導通状態となる。次にＴＲＩＧ端子よりトリガ信号を出力すると、トリガ回路２０２は高圧を発生しキセノン管１９を励起し発光が開始される。
【手続補正３０】
【補正対象書類名】明細書
【補正対象項目名】００７２
【補正方法】変更
【補正の内容】
【００７２】
一方、ストロボマイコン２００は、トリガ発生より所定時間後、積分回路２０８に積分開始を指示し、積分回路２０８は閃光発光制御用モニタ回路２０７の出力、すなわち、光量積分用の受光素子３１の対数圧縮された光電出力を積分開始すると同時に、所定時間をカウントするタイマーを起動させる。
【手続補正３１】
【補正対象書類名】明細書
【補正対象項目名】００７３
【補正方法】変更
【補正の内容】
【００７３】
プリ発光が開始されると、フラット発光の発光強度制御用受光素子３２の光電流が多くなり、フラット発光制御用モニタ回路２０９の出力が上昇し、コンパレータ２０６の非反転入力に設定されている所定のコンパレート電圧より高くなると、コンパレータ２０５の出力はＬｏに反転し、発光制御回路２０３はキセノン管１９の発光電流を遮断し、放電ループがたたれるが、ダイオードＤ１、コイルＬ１により環流ループを形成し、発光電流は回路の遅れによるオーバーシュートが収まった後は、徐々に減少する。発光電流の減少に伴い、発光強度が低下するので、受光素子３２の高電流は減少し、フラット発光制御用モニタ回路２０９の出力は低下し、所定のコンパレートレベル以下に低下すると、再びコンパレータ２０５の出力はＨｉに反転し、発光制御回路２０３が再度導通しキセノン管１９の放電ループが形成され、発光電流が増加し発光強度も増加する。このように、ＤＡ０に設定された所定のコンパレート電圧を中心に、コンパレータ２０５は短い周期で発光強度の増加減少を繰り返し結果的には、所望するほぼ一定の発光強度で発光を継続させるフラット発光の制御が出来る。
【手続補正３２】
【補正対象書類名】明細書
【補正対象項目名】００７６
【補正方法】変更
【補正の内容】
【００７６】
ストロボマイコン２００は、プリ発光時の測光積分値（ＩＮＴｐ）にカメラ本体１からの適正相対値（γ）の値を掛け合わせ適正積分値（ＩＮＴｍ）を求め、ＤＡ０出力に適正積分値（ＩＮＴｍ）を設定する。
【手続補正３３】
【補正対象書類名】明細書
【補正対象項目名】００７７
【補正方法】変更
【補正の内容】
【００７７】
次にＳＥＬ１、ＳＥＬ０にＨｉ、Ｌｏを出力し、入力Ｄ２を選択する。このとき積分回路２０８は動作禁止状態なので、コンパレータ２０４の反転入力端子に入力される積分回路２０８の出力は発生せず、コンパレータ２０４の出力はＨｉであるので、発光制御回路２０３は導通状態となる。次にＴＲＩＧ端子よりトリガ信号を出力すると、トリガ回路２０２は高圧を発生しキセノン管１９を励起し発光が開始される。またストロボマイコン２００は、トリガ印加によるトリガノイズが収まるとともに実際の発光が開始される１０数μｓｅｃ後に積分開始端子ＩＮＴをＬｏレベルに設定し、積分回路２０８はセンサ３１からの出力を閃光発光制御用モニタ回路２０７を介して積分する。積分出力がＤＡ０で設定された所定電圧に到達すると、コンパレータ２０４は反転し、データセレクタ２０６を介して発光制御回路２０３は導通を遮断され、発光は停止する。一方ストロボマイコン２００はＳＴＯＰ端子をモニタし、ＳＴＯＰ端子が反転し発光が停止すると、ＳＥＬ１、ＳＥＬ０端子をＬｏ、Ｌｏに設定し強制発光禁止状態に設定するとともに、積分開始端子を反転し、積分を終了し、発光処理を終了する。
【手続補正３４】
【補正対象書類名】明細書
【補正対象項目名】００９０
【補正方法】変更
【補正の内容】
【００９０】
［＃２０２］カメラマイコン１００は、ストロボ１８側に対してプリ発光の命令を行う。ストロボマイコン２００はこの命令に従って、前述したようにプリ発光動作を行う。
【手続補正３５】
【補正対象書類名】明細書
【補正対象項目名】００９５
【補正方法】変更
【補正の内容】
【００９５】
このエリアの選出には、前述の測距ポイントをそのまま採用する方法もあるし、カメラに最至近の被写体のエリアを示すＥＶｄｆの値が最大となるエリアを選出する方法等がある。エリアを選出すると後述の重み付け演算をするのに用いる他のエリアを図１１のように選出する。他のエリアは、演算を行う中心のエリアに隣り合うエリアとしているが、当然これに限るものでなく、残りの全てのエリアとしてもよい。また、演算を行う中心のエリアも２つ以上のエリアを選出することもあり得る。
【手続補正３６】
【補正対象書類名】明細書
【補正対象項目名】０１００
【補正方法】変更
【補正の内容】
【０１００】
また、この距離に関するデータは、単純にカメラマイコン１００が＃１０４でレンズと通信することによって得た絶対距離情報を用いることでもよい。
【手続補正３７】
【補正対象書類名】明細書
【補正対象項目名】０１０２
【補正方法】変更
【補正の内容】
【０１０２】
Ｐ＝｛ＴＧＴ−ＥＶａ(ｉ) ｝／ＥＶｄｆ（ｉ）
ここで、ＴＧＴ：適正露光量、ＥＶａ：外光による被写体の輝度、ＥＶｄｆ：プリ発光反射光分のみの輝度、Ｐ：それぞれのエリアの適正となるストロボ光量であり、そしてそれぞれのエリアのＰの値より、選択された中心のエリアのＰ（Ｐ１）と、その他のエリアのＰ（Ｐ２）を単純な平均で求める。（選択された中心のエリアが１つであれば平均といってもそのもの値である。）
【手続補正３８】
【補正対象書類名】明細書
【補正対象項目名】０１０３
【補正方法】変更
【補正の内容】
【０１０３】
さらに次の式に従って重み付け平均を行う。
【手続補正３９】
【補正対象書類名】明細書
【補正対象項目名】０１０４
【補正方法】変更
【補正の内容】
【０１０４】
Ｗave＝ａ×Ｐ１＋ｂ×Ｐ２ （ａ、ｂとも≦１）
［＃２０７］カメラマイコン１００は、Ｗaveの値を適正相対値（γ）に変換する演算を行い、ストロボ１８側に通信によりγの値を送る。
【手続補正４０】
【補正対象書類名】明細書
【補正対象項目名】０１０７
【補正方法】変更
【補正の内容】
【０１０７】
すなわち、主ミラー２をアップさせサブミラー２５ともども撮影光路より退避させ、レンズを制御して絞りを制御し、決められたシャッタースピード値（ＴＶ）になるようにシャッター制御回路１０７を制御する。このときシャッター８の全開に同期してスイッチＳＷＸがＯＮし、ストロボ１８側に伝わり、これが本発光の命令となる。ストロボマイコン２００は、カメラ本体１から送られてきたγに基づいて適正な量に前述のような本発光制御行う。
【手続補正４１】
【補正対象書類名】明細書
【補正対象項目名】０１０８
【補正方法】変更
【補正の内容】
【０１０８】
最後は、撮影光路より退避していた主ミラー２等をダウンし再び撮影光路へ斜設させ、モータ制御回路１０８とフイルム走行検知回路１０９により、フィルムを１駒巻上げる。
【手続補正４２】
【補正対象書類名】明細書
【補正対象項目名】０１１３
【補正方法】変更
【補正の内容】
【０１１３】
（第２の実施の形態）
図８およびお図９波第２の実施の形態を示す。図８および図９はストロボ１８の光量制御として最終的にフィルム面反射光を測光して行うカメラのフローを示す。但し、前述の図６〜図７と共通している部分の説明は省略する。
【手続補正４３】
【補正対象書類名】明細書
【補正対象項目名】０１１９
【補正方法】変更
【補正の内容】
【０１１９】
［＃３０７］カメラマイコン１００は、露光動作を行う。ここも＃１０７とほぼ同じであるが、ストロボ１８の発光量の制御の仕方が異なる。
【手続補正４４】
【補正対象書類名】明細書
【補正対象項目名】０１２０
【補正方法】変更
【補正の内容】
【０１２０】
シャッター８の全開に同期してスイッチＳＷＸがＯＮし、これがストロボ１８側に伝わり本発光が開始すると同時に、このフィルム面測光センサ２４は測光積分を開始する。
【手続補正４５】
【補正対象書類名】明細書
【補正対象項目名】０１２２
【補正方法】変更
【補正の内容】
【０１２２】
Ｗsum ＝ａ×Ｐ１＋ｂ×Ｐ２ （ａ、ｂとも≦１）
そして、Ｗsum が所定の値に到達したところで、ストロボ１８の発光を停止する。
【手続補正４６】
【補正対象書類名】明細書
【補正対象項目名】０１２３
【補正方法】変更
【補正の内容】
【０１２３】
本実施の形態の効果は第１の実施の形態と同様、どんなシーンにも適応し常に安定したストロボ露出レベルが得られることにある。さらに本実施の形態では、ストロボ１８側の閃光発光制御用モニタ回路２０７等が必要ないため回路が簡略になるという利点もある。
【手続補正４７】
【補正対象書類名】明細書
【補正対象項目名】０１２４
【補正方法】変更
【補正の内容】
【０１２４】
これら第１、第２の実施の形態は本発光が閃光発光で説明しているが、一様な波高値が続くフラット発光でも適用できる。またストロボ１８が着脱式でなくカメラ本体１に内蔵できるタイプでも適用できることも言うまでもない。
【手続補正４８】
【補正対象書類名】図面
【補正対象項目名】図３
【補正方法】変更
【補正の内容】
【図３】
1998312009.tif 000001
【手続補正４９】
【補正対象書類名】図面
【補正対象項目名】図６
【補正方法】変更
【補正の内容】
【図６】
1998312009.tif 000002
【手続補正５０】
【補正対象書類名】図面
【補正対象項目名】図７
【補正方法】変更
【補正の内容】
【図７】
1998312009.tif 000003
【手続補正５１】
【補正対象書類名】図面
【補正対象項目名】図８
【補正方法】変更
【補正の内容】
【図８】
1998312009.tif 000004
【手続補正５２】
【補正対象書類名】図面
【補正対象項目名】図９
【補正方法】変更
【補正の内容】
【図９】
1998312009.tif 000005
【手続補正５３】
【補正対象書類名】図面
【補正対象項目名】図１０
【補正方法】変更
【補正の内容】
【図１０】
1998312009.tif 000006